(57)【要約】【課題】ネットワークを通して映像記録装置にアクセスし必要な映像をダウンロードするにあたり、取得する映像データが映像記録装置の持つ記録媒体上のファイルシステムに実体として存在するか否かをユーザーが意識することなく扱える環境を提供する。【解決手段】映像記録装置１０１に内蔵されたメモリ上に外部向けファイルシステム１０２を持ち、前記映像記録装置の記録媒体１０３に構築されたファイルシステムには実体が存在しない映像データ１０４及び終了処理未完の映像データ１０５を、ネットワーク１０６を通してアクセスしたオペレーターには前記記録媒体に実体が存在する映像データ１０７と同様の手順で参照可能にし、前記映像記録装置は要求された映像データに最適な送出方法を自動的に判断する装置１１６を介してネットワーク上へ送出する。【選択図】  図１
2004328642.tif 000002
【特許請求の範囲】
【請求項１】
映像入力手段から入力される映像データをファイルとして記録媒体に書き込むデータ記録手段と、
前記記録媒体へ記録処理中の映像データに関する管理情報を前記データ記録手段から検出する動作把握手段と、
前記記録媒体上に記録された各ファイルの管理情報と前記動作把握手段が把握する管理情報を基に外部向けファイルエントリーを作成する外部向けファイルシステム作成手段とを有し、
前記外部向けファイルシステム作成手段は、外部からのファイル一覧要求に対し前記外部向けファイルエントリーを参照させることを特徴とする映像記録装置。
【請求項２】
前記記録媒体上で記録終了処理未完である映像データの前記記録媒体上のアドレスとサイズを前記動作把握手段が前記データ記録手段から検出し、
前記外部向けファイルシステム作成手段が前記動作把握手段の検出した前記アドレスと前記サイズを基にした外部向けファイルエントリーを作成することにより、
外部からファイルを参照したオペレーターに前記終了処理未完の映像データに対してファイルとしてアクセスさせることを特徴とする請求項１記載の映像記録装置。
【請求項３】
映像を記録する記録媒体と、
映像データをバッファメモリに一時記録する映像入力手段と、
前記バッファメモリの映像データをファイルとして前記記録媒体に書き出すデータ記録手段と、
前記バッファメモリに記録された映像データの前記バッファメモリ上のアドレスとサイズを前記映像入力手段から検出する動作把握手段と、
前記記録媒体上に記録された各ファイルの管理情報と前記動作把握手段が把握する管理情報を基に外部向けファイルエントリーを作成する外部向けファイルシステム作成手段とを有し、
前記外部向けファイルシステム作成手段では、外部からのファイル一覧要求に対し前記外部向けファイルエントリーを参照させることで対応することを特徴とする映像記録装置。
【請求項４】
前記外部向けファイルシステム作成手段は外部と通信するためのネットワークアダプタと、
送出方法判定手段とを備え、
前記オペレーターが転送要求をしたファイルの外部向けファイルエントリーが前記記録媒体のファイルシステムからの管理情報に基づくものであるか、前記動作把握手段からの情報に基づくものであるかを送出方法判定手段が検出することにより、
前記ネットワークへのデータ送出方法を切り替えることを特徴とする請求項１乃至請求項３いずれかに記載の映像記録装置。
【請求項５】
前記送出方法判定手段はビットレート変換手段を備え、
前記送出方法判定手段が、送信対象ファイルの外部向けファイルエントリーが前記記録媒体のファイルシステムからの管理情報に基づくものであるか、前記動作把握手段からの情報に基づくものであるかを検出し、
前者であれば映像データを前記記録媒体に記録されたままのビットレートで前記ネットワークに送信し、後者であれば前記ビットレート変換手段を用いて映像データのリアルタイム性を保証したままビットレートを低下させてネットワークに送信することを特徴とする請求項４に記載の映像記録装置。
【発明の詳細な説明】
【０００１】
【発明の属する技術分野】
本発明は、ネットワークを通じてアクセス可能な映像記録装置に関するものである。
【０００２】
【従来の技術】
従来のネットワーク対応映像記録装置としては、コンピュータの分野で確立された既存の通信プロトコルを組み込んだものが提案されてきた（例えば、特許文献１参照）。前記特許文献１では、映像記録装置にＸプロトコルサーバー、ｔｅｌｎｅｔサーバー、ＦＴＰサーバー、ＨＴＴＰサーバー等を実装することによりネットワーク対応を実現している。
【０００３】
また、ネットワーク対応映像記録装置に関する別の提案としては、内蔵された記録媒体に映像データを蓄積せず、撮影した映像を、ネットワークを通じてただちにアップロードするものが提案されてきた（例えば、特許文献２参照）。図４は前記特許文献２に記載されたネットワーク対応映像記録装置の概略的な構成図である。図４において映像記録装置１０は記録媒体を備えておらず、したがって撮影が始まると前記映像記録装置は自発的に映像データをネットワーク上に送出することとなる。
【０００４】
【特許文献１】
特開２００２−２６２１４６号公報
【特許文献２】
特開２００２−２８１４２４号公報
【０００５】
【発明が解決しようとする課題】
しかしながら、ただＸプロトコルやｔｅｌｎｅｔ、ＦＴＰといった従来の通信プロトコルをネットワーク対応映像記録装置に実装して前記映像記録装置が持つ記録媒体上のファイルシステムと共に使用するだけでは、現在撮影中のライブ映像は、前記記録媒体に実体として存在しないためにネットワークを通して取得することはできない。さらに、前記記録媒体に一部実体はあるもののファイル終了処理が未完の映像データも、記録媒体上に構築されたファイルシステムを通じての可視性がないため、ネットワークを通しての取得は不可能となる。
【０００６】
また、映像記録装置内に記録媒体を持たず映像データをただちに無線でネットワークに送信すれば記録媒体上のファイルシステムに起因する問題は回避されるものの、電波の帯域は有限であるため、多数の映像記録装置が集合した場所で一斉に撮影をはじめた場合は充分な帯域が確保できず、無線伝送が不可能になる可能性が高い。リアルタイムである必要性の低い映像をもネットワーク上にただちに送出することは、電波資源の非効率的な使用につながるため、映像記録装置で撮影された映像は原則として前記映像記録装置の持つ記録媒体に蓄積されることが好ましい。また、帯域の制限によって無線伝送する映像の品質に上限がある点からも、高画質の映像は内蔵記録媒体に蓄える必要性が生じる。
【０００７】
本発明は、前記従来の課題を解決するもので、ネットワーク対応映像記録装置内の記録媒体に蓄積された映像データの取得を遠隔から可能とするとともに、ライブ映像や、撮影中でまだファイルが完成していない映像データもネットワークを介したオペレーターが簡易な操作で取得できる環境を構築することを目的とする。
【０００８】
【課題を解決するための手段】
この目的を達成するために本発明の映像記録装置は、映像入力手段から出力されるデータを記録する記録媒体と前記記録媒体へのデータ記録動作の状態を把握する手段を備え、前記記録媒体上のファイルシステムからの情報と前記動作把握手段からの情報を基に前記映像記録装置の内蔵メモリ上で映像ファイルの一覧を作成する。
【０００９】
この構成によって、ネットワークを通して前記映像記録装置にアクセスしたオペレーターは、前記記録媒体上に構築されたファイルシステムを通しては取得できない映像データにもファイルとしてアクセス可能になる。
【００１０】
また、本発明の映像記録装置では、前記動作把握手段が前記記録媒体のファイルシステム上で終了処理が未完である映像データの所在地とサイズを検出する。
【００１１】
この構成によって、前記メモリ上に作成した映像ファイル一覧に前記終了処理未完の映像データを加えることができ、前記オペレーターは前記終了処理未完の映像データに通常のファイルと同じ方法でアクセスできるようになる。
【００１２】
また、本発明の映像記録装置では、前記動作把握手段が映像入力手段から出力されるデータの有無を検出する。
【００１３】
この構成によって、前記メモリ上に作成した映像ファイル一覧に映像入力手段から出力されたばかりの映像データを加えることができ、前記オペレーターは前記記録媒体に記録される前の映像データ、すなわちライブ映像に、通常のファイルと同じ方法でアクセスできるようになる。
【００１４】
また、本発明の映像記録装置では、前記ネットワークと前記内蔵メモリに作成したファイル一覧との間に送出方法判定手段を備え、前記オペレーターが転送要求をしたファイルが前記記録媒体のファイルシステムからの情報に基づくものであるか、前記動作把握手段からの情報に基づくものであるかによって、送信方法を切り替える。
【００１５】
この構成によって前記オペレーターは、特別な操作をすることなく、ファイルの種別に応じた最適の品質で映像データを取得することができる。
【００１６】
【発明の実施の形態】
以下本発明の実施の形態について、図面を参照しながら説明する。
【００１７】
（実施の形態１）
図１は、本発明の実施の形態１におけるネットワーク対応映像記録装置の概略的な構成図である。
【００１８】
図１において、映像記録装置１０１は、映像入力手段１０８と記録媒体１０３を備えており、前記映像入力手段１０８で捕捉した映像データは、データ記録手段１１７の処理を通して、ファイルとして前記記録媒体１０３に記録される。また、動作把握手段１０９は前記データ記録手段１１７の動作状態を把握しており、前記データ記録手段１１７が前記記録媒体１０３に対してファイルを書き込んでいる最中であれば、記録中の映像データが前記記録媒体１０３のどの部分にどれだけ記録されたかを検出している。
【００１９】
外部向けファイルシステム作成手段１１２はネットワーク１０６へ接続するためのネットワークアダプタ１１０を備えている。オペレーター１１１が前記ネットワーク１０６を通して前記記録媒体１０３内のファイル一覧を要求してきた場合、前記外部向けファイルシステム作成手段１１２は、前記記録媒体１０３上に構築されたファイルシステムを直接前記オペレーターに提供するのではなく、前記映像記録装置１０１の内蔵メモリ上に用意した外部向けファイルエントリー（１１３，１１４）の一覧を提供することで対応する。前記ファイルエントリー一覧を、以降では外部向けファイルシステム１０２と呼ぶ。
【００２０】
以下に、前記ファイルエントリーの作成手順について説明する。外部向けファイルエントリー作成にあたっては、前記外部向けファイルシステム作成手段は、まず前記動作把握手段１０９に前記データ記録手段１１７の動作状態を問い合わせる。前記動作把握手段１０９から、前記データ記録手段が記録動作中であるとの報告があれば、前記外部向けファイルシステム作成手段１１２は、前記記録媒体１０３上で書き込み中かつ終了処理未完の映像データ１０５に関する外部向けファイルエントリー１１３を作成する。前記外部向けファイルエントリー１１３は、前記動作把握手段１０９が前記データ記録手段に問い合わせて把握しているアドレス情報を参照している。また、前記外部向けファイルシステム作成手段１１２は、前記データ記録手段１１７の動作状態にかかわらず、前記記録媒体１０３内で終了処理が完了している映像データ１０７に関する外部向けファイルエントリー１１４を作成する。前記外部向けファイルエントリー１１４は、前記記録媒体１０３上のファイルシステムが持つ管理情報に基づいて、前記記録媒体上で映像データが存在するアドレスを参照している。
【００２１】
前記オペレーター１１１へ各外部向けファイルエントリーを通常ファイルとして見せるために必要な情報としては、例えばＵＮＩＸ（登録商標）ベースのＯＳの場合、ＰＯＳＩＸ標準で表１のように定められている。前記記録媒体１０３で終了処理が完了した映像データ１０７に基づく外部向けファイルエントリー１１４については、前記記録媒体１０３上のファイルシステムが保持する情報からすべてが決定可能である。また、終了処理未完の映像データ１０５に基づく外部向けファイルエントリー１１３については、ｉｎｏｄｅ番号は外部向けファイルエントリーを作成する時点で未使用の番号を割り振ることで対応できる。ファイルサイズについては、（前記記録媒体１０３の総容量−終了処理が完了したファイル１０７の合計サイズ）とする。前記映像データ１０５がこれ以上の大きさになることがないことは保証されている。各種時刻については、前記オペレーター１１１がファイル一覧を要求してきた時刻とする。その他の情報については、あらかじめ決められた値を割り当てることで対処できる。
【００２２】
【表１】
2004328642.tif 000003
【００２３】
また、前記オペレーター１１１へ、各外部向けファイルエントリーに対して通常ファイルと同じインターフェイスを提供するためには、ＰＯＳＩＸ標準に準拠すると、ｏｐｅｎ、ｃｌｏｓｅ、ｌｓｅｅｋ、ｒｅａｄ、ｗｒｉｔｅ、ｒｅｎａｍｅ、ｕｎｌｉｎｋができる必要がある。ｏｐｅｎ、ｃｌｏｓｅ  については、各外部向けファイルエントリーがＰＯＳＩＸ標準の情報を保持していることから、前記外部向けファイルエントリーが終了処理の完了した映像データに基づくものか終了処理未完の映像データに基づくものかに関係なく行える。ｗｒｉｔｅ、ｒｅｎａｍｅ、ｕｎｌｉｎｋ  の各命令については、終了処理未完の映像データ１０５に基づく外部向けファイルエントリー１１３に読み取り専用属性を与えることで無視してもよいことになる。ｌｓｅｅｋについては、終了処理の完了した映像データに基づくものについては任意の位置へのｌｓｅｅｋが実行できるが、終了処理未完の映像データに基づくものについては、指定された場所が、前記動作把握手段１０９がすでに書き込んだと把握しているサイズ内であれば終了処理の完了した映像データの場合と同様に処理する。把握しているサイズの範囲を超えるｌｓｅｅｋに対しては、すでに書き込んだと前記動作把握手段１０９が把握しているサイズの最後尾にファイルポインタを設定する。ｒｅａｄ要求については、要求が来るたびに前記動作把握装置１０９が保持するアドレス情報を参照し、読み出すべき映像データの位置を取得し、該当するデータを読み出す。前記記録媒体１０３に書き込まれたデータの終端をまたがるか、またはそれを超えた部分へのｒｅａｄ命令があった場合は、映像記録装置１０１が動作中であれば、該当する映像データが記録されるまで前記ｒｅａｄ命令への返答を延ばす。また、データ記録手段１１７が動作停止している場合は、データ終端部以降を画面は黒一色、音声は無音に相当する映像データで埋めて返す。以降、データ記録手段１１７停止時に前記データ終端部から最初にファイルサイズとして示したサイズ（本実施の形態では（前記記録媒体１０３の総容量−終了処理が完了したファイル１０７の合計容量）とした）までの範囲に関するｒｅａｄ命令が来た場合は、黒一色無音の映像データをメモリ上で生成して返す。
【００２４】
かかる構成によれば、前記オペレーター１１１は前記データ記録手段１１７の動作状態及び前記記録媒体１０３上のファイルシステムの状態を意識することなく、前記記録媒体１０３中のあらゆる映像データを通常のファイルと同じアクセス方法で扱うことが可能となる。
【００２５】
なお、本実施の形態として動作把握手段１０９を設けたが、これはハードウェア的に実現されてもよいし、ソフトウェア的に実現されてもよい。
【００２６】
また、本実施の形態ではデータ記録手段１１７が動作中の場合にのみ外部向けファイルシステム１０２上に終了処理未完の映像データから外部向けファイルエントリーを作成したが、前記データ記録手段１１７の動作状態にかかわらず常に外部向けファイルエントリーを置くことも可能である。
【００２７】
また、本実施の形態として終了処理未完の映像データに関する外部向けファイルエントリー１１３は動作状態把握手段１０９が保持するアドレス情報を参照したが、前記記録媒体１０３に構築されたファイルシステム上にあるアドレス情報を参照する方式でもよい。
【００２８】
また、本実施の形態として終了処理未完の映像データ１０５に基づく外部向けファイルエントリー１１３が保持するｉｎｏｄｅ番号は作成時にあいているものを割り当てるとしたが、これは、前記映像データ１０５の記録開始にあたって割り当てられたｉｎｏｄｅ番号をそのまま使ってもよい。また、あらかじめ決められた一定のｉｎｏｄｅ番号を割り当ててもよい。
【００２９】
また、本実施の形態として終了処理未完の映像データ１０５に基づく外部向けファイルエントリー１１３が提供するファイルサイズは、（前記記録媒体１０３の総容量−終了処理が完了したファイル１０７の合計容量）としたが、これは前記記録媒体１０３上のファイルシステムで定義可能な最大ファイルサイズ、もしくはファイルシステムで定義可能な最大ファイルサイズと（前記記録媒体１０３の総容量−終了処理が完了したファイル１０７の合計容量）を比べて値の小さい方、としてもよい。
【００３０】
また、本実施の形態として終了処理未完の映像データ１０５に基づく外部向けファイルエントリー１１３が提供する各種時刻はオペレーター１１１がファイル一覧を参照した時刻としたが、これは前記外部向けファイルエントリー１１３が作成された時刻でもかまわないし、前記映像データ１０５が記録開始された時刻でもよい。
【００３１】
また、本実施の形態として終了処理未完の映像データ１０５に対するｌｓｅｅｋへは動作把握手段１０９からの情報に即して対応したが、前記映像データ１０５に対するｌｓｅｅｋは無視するとしてもよい。
【００３２】
また、本実施の形態として、データ記録手段１１７停止時にデータ終端部以降の部分に関するｒｅａｄ命令が来た場合は黒一色の画面を生成して返すとしたが、生成する画面は単色画面、カラーパターン、書き込まれた映像データ１０５の最終フレームを基にした静止画のいずれかであってもかまわない。また、ファイル終端以降の部分に関するｒｅａｄ命令には無条件でＥＯＦを返すことにしてもよい。
【００３３】
また、本実施の形態では外部向けファイルシステム１０２は映像記録装置１０１の内蔵メモリ上に構築したが、これは前記記録媒体１０３の一部を用いて実現されてもよい。
【００３４】
また、本実施の形態では外部向けファイルシステム１０２はネットワーク１０６を介したオペレーター１１１に対してのみ用いたが、前記記録媒体のデータにアクセスするオペレータに対してはネットワークを通しているか否かにかかわらず、前記ファイルシステム１０２を用いてもよい。
【００３５】
（実施の形態２）
図２は本発明の実施の形態２におけるネットワーク対応映像記録装置の概略的な構成図である。図２において、図１と同じ構成については同じ符号を用い、説明を省略する。
【００３６】
本実施の形態では、映像入力手段１０８はバッファメモリ１１８を備えており、映像データはデータ記録手段１１７に送られる前に一旦プールされる。動作把握手段１０９は、前記映像入力手段１０８の撮影動作中、前記バッファメモリ１１８にプールされた映像データのアドレスとサイズを検出している。外部向けファイルシステム作成手段１１２は、外部向けファイルエントリーを作成する際、前記動作把握手段１０９に前記映像入力手段１０８の動作状態を問い合わせ、動作中であるとの報告を受ければ、映像入力手段１０８から記録媒体１０３に書き込まれる前のデータも、仮想的にファイルとみなして外部向けファイルエントリー１１５を作成する。
【００３７】
前記外部向けファイルエントリー１１５は、前記動作把握手段が把握しているバッファメモリ１１８上のアドレス情報を参照している。また、前記外部向けファイルシステム作成手段１１２は、前記映像入力手段１０８の動作状態にかかわらず、前記記録媒体１０３のファイルシステムに基づいた外部向けファイルエントリー１１４を作成する。前記外部向けファイルエントリー１１４は、前記記録媒体１０３上のファイルシステムが持つ管理情報に基づいて、前記記録媒体上で映像データが存在するアドレスを参照している。
【００３８】
ネットワーク１０６を介したオペレーター１１１へ各外部向けファイルエントリーを通常ファイルとして見せかけるためには前記表１に示した情報が必要となるが、前記記録媒体１０３で終了処理が完了した映像データ１０７に基づく外部向けファイルエントリー１１４については、前記記録媒体１０３上のファイルシステムが保持する情報からすべてを決定可能である。また、記録媒体１０３へ書き込まれる前のデータに基づく外部向けファイルエントリー１１５については、ｉｎｏｄｅ番号は外部向けファイルエントリーを作成する時点であいている適当な番号を割り振る。ファイルサイズについては、（前記記録媒体１０３の総容量−終了処理が完了したファイル１０７の合計容量）とすることで対応する。各種時刻については、前記オペレーター１１１がファイル一覧を要求してきた時刻とする。その他の情報については、あらかじめ決められた値を割り当てることで対処できる。
【００３９】
また、前記オペレーター１１１へ、各外部向けファイルエントリーに対して通常ファイルと同じインターフェイスを提供するためには、ＰＯＳＩＸ標準に準拠すると、ｏｐｅｎ，  ｃｌｏｓｅ，  ｌｓｅｅｋ，  ｒｅａｄ，  ｗｒｉｔｅ，  ｒｅｎａｍｅ，  ｕｎｌｉｎｋ  ができる必要がある。ｏｐｅｎ，  ｃｌｏｓｅ  については、外部向けファイルエントリーがＰＯＳＩＸ標準の情報を保持していることから、前記外部向けファイルエントリーが記録媒体内の映像データに基づくものか記録前の映像データに基づくものかに関係なく行える。ｗｒｉｔｅ，  ｒｅｎａｍｅ，  ｕｎｌｉｎｋ  の各命令については、記録媒体へ書き込まれる前の映像データに基づく外部向けファイルエントリー１１５に読み取り専用属性を与えることで無視できる。ｌｓｅｅｋについては、記録媒体内の映像データに基づくものについては任意の位置へのｌｓｅｅｋが実行できるが、記録前の映像データに基づくものについては、ｌｓｅｅｋ要求を無視する。ｒｅａｄ要求については、映像入力手段１０８が動作中の場合は、要求されたサイズの映像データが前記バッファメモリ１１８に溜まった段階で返答する。また、映像入力手段１０８停止時にファイルサイズとして示したサイズ（本実施の形態では（前記記録媒体１０３の総容量−終了処理が完了したファイル１０７の合計容量）とした）までの範囲に関するｒｅａｄ命令が来た場合は、画面は黒一色、音声は無音の映像データを映像記録装置内蔵のメモリ上で生成して返す。
【００４０】
かかる構成によれば、前記オペレーター１１１は、撮影を終了し前記記録媒体１０３に蓄積された映像ファイル１０７と、前記映像入力手段１０８が撮影中のライブ映像を同じアクセス方法で取得することができるようになる。
【００４１】
なお、本実施の形態として動作把握手段１０９を設けたが、これはハードウェア的に実現されてもよいし、ソフトウェア的に実現されてもよい。
【００４２】
また、本実施の形態では映像入力手段１０８が動作中の場合にのみ外部向けファイルシステム１０２上に未記録データから外部向けファイルエントリーを作成したが、前記映像入力手段１０８の動作状態にかかわらず常に外部向けファイルエントリーを置くことも可能である。
【００４３】
また、本実施の形態として未記録データに基づく外部向けファイルエントリー１１５は、バッファメモリ１１８上のアドレスを直接参照したが、前記バッファメモリ１１８が映像記録装置１０１の内蔵メモリ上にマッピングされた先のアドレスを参照するようにしてもよいし、映像入力手段から出力された映像データを一旦映像記録装置１０１の内蔵メモリに転送し、そのメモリアドレスを参照することにしてもよい。
【００４４】
また、本実施の形態として終了処理未完のデータ１０５に基づく外部向けファイルエントリー１１５が保持するｉｎｏｄｅ番号は作成時にあいている番号を用いるとしたが、あらかじめ決められた一定の番号を割り振ってもよい。
【００４５】
また、本実施の形態として記録媒体１０３に書き込まれる前の映像データに基づく外部向けファイルエントリー１１５が提供するファイルサイズは、（前記記録媒体１０３の総容量−終了処理が完了したファイル１０７の合計容量）としたが、これは前記記録媒体１０３上のファイルシステムで定義可能な最大ファイルサイズ、もしくはファイルシステムで定義可能な最大ファイルサイズと（前記記録媒体１０３の総容量−終了処理が完了したファイル１０７の合計容量）を比べて値の小さい方、としてもよい。
【００４６】
また、本実施の形態として記録媒体１０３に書き込まれる前の映像データに基づく外部向けファイルエントリー１１５が提供する最終更新時刻はオペレーター１１１がファイル一覧を参照した時刻としたが、これは前記外部向けファイルエントリー１１５が作成された時刻でもかまわないし、撮影が開始された時刻でもよい。
【００４７】
また、本実施の形態として、映像入力手段１０８動作時にｒｅａｄ命令が来た場合は要求されたサイズの映像データがバッファメモリ１１８に溜まった段階で返答するとしたが、返答はバッファメモリ１１８に溜まった映像データが一定量を超えた段階でしてもよいし、映像入力手段１０８から出力された映像データを一旦映像記録装置１０１の内蔵メモリに転送しているのであれば、内蔵メモリ上でのデータサイズが一定量を超えた場合に行ってもよい。
【００４８】
また、本実施の形態として、映像入力手段１０８停止時にｒｅａｄ命令が来た場合は黒一色の画面を生成して返すとしたが、生成する画面は単色画面、カラーパターン、書き込まれたデータ１０５の最終フレームを基にした静止画のいずれかであってもかまわない。
【００４９】
また、本実施の形態では外部向けファイルシステム１０２は映像記録装置１０１の内蔵メモリ上に構築したが、これは前記記録媒体１０３の一部を用いて実現されてもよい。
【００５０】
また、本実施の形態では外部向けファイルシステム１０２はネットワーク１０６を介したオペレーター１１１に対してのみ用いたが、前記記録媒体のデータにアクセスするオペレータに対してはネットワークを通しているか否かにかかわらず、前記ファイルシステム１０２を用いることにしてもよい。
【００５１】
（実施の形態３）
図３は本発明の実施の形態３におけるネットワーク対応映像記録装置の概略的な構成図である。図３において、図１および図２と同じ構成については同じ符号を用い、説明を省略する。なお、本実施の形態において動作把握手段１０９は前記実施の形態１で示した機能と実施の形態２で示した機能の両方を実現している。
【００５２】
本実施の形態では、外部向けファイルシステム１０２は送出方法判定手段１１６を備えている。また、前記送出方法判定手段は、ビットレート変換手段１１９を備えている。前記送出方法判定手段１１６は、ネットワーク１０６を通してオペレーター１１１が前記外部向けファイルシステム１０２に外部向けファイルエントリーを持つファイルについて転送を要求してきたとき、要求された外部向けファイルエントリーが記録媒体１０３のファイルシステム上に存在するファイル１０７を参照するものであればリアルタイム性よりもデータ品質を重視したファイル転送を行うことを決定し、前記外部向けファイルシステム上でのみ存在するファイル（１１４，１１５）であればリアルタイム性を重視した方法で送出することを決定する。
【００５３】
具体的には、オペレーター１１１のもとでリアルタイムに再生されることを重視する場合は、ネットワーク１０６に送出する前に前記ビットレート変換手段１１９にファイルを通して映像データの圧縮率を上げ、ビットレートを通信回線に見合った値にまで下げる。画質とひきかえにデータ量を圧縮することにより、映像はオペレーターへ迅速に伝送されるようになる。
【００５４】
なお、本実施の形態として動作把握手段１０９は前記実施の形態１と実施の形態２で示した両方の機能を果たしたが、これはどちらか一方のみの機能でもよい。
【００５５】
また、本実施の形態として送信方法判定手段１１６を設けたが、これはハードウェア的に実現されてもよいし、ソフトウェア的に実現されてもよい。
【００５６】
また、本実施の形態としてライブ映像と終了処理未完のファイル両方についてリアルタイム性を重視したが、リアルタイム性を重視するのは前者のみであってもかまわない。
【００５７】
また、本実施の形態としてビットレート変換手段１１９は映像のビットレートを下げるために映像データの圧縮率を上げたが、ビットレートを下げることは映像のフレームレートを下げることによって行われてもかまわない。
【００５８】
また、本実施の形態として送信方法判定手段１１６はリアルタイム性を重視するために映像のビットレートを下げたが、リアルタイム性の重視は、送信プロトコルをストリーミング再生に適したものに切り替えることによって行ってもよいし、ビットレート低下と送信プロトコル切り替えを両方行ってもよい。
【００５９】
また、本実施の形態として送出方法の判定は送信方法判定手段１１６が自動的に行ったが、送出方法決定にあたっては、前記オペレーター側からの送出方法設定を考慮するしくみがあってもよい。
【００６０】
【発明の効果】
以上のように、本発明のネットワーク対応映像記録装置によれば、リアルタイム性を必要としない映像データをも無線で送出して電波資源を占有することがなく、また、ネットワーク越しにアクセスして必要な映像を取得するにあたっても、映像記録装置が持つ記録媒体上のファイルシステムの状態を考慮する必要がなく、あらゆる映像データを取得できる。
【図面の簡単な説明】
【図１】本発明の実施の形態１におけるネットワーク対応映像記録装置の概略的な構成図
【図２】本発明の実施の形態２におけるネットワーク対応映像記録装置の概略的な構成図
【図３】本発明の実施の形態３におけるネットワーク対応映像記録装置の概略的な構成図
【図４】従来のネットワーク対応映像記録装置の概略的な構成図
【符号の説明】
１０  ビデオカメラ
１２  無線通信手段
１３  再生手段
２０  中継点
２２  通信手段
３０  記録再生装置
３２  暗号化／復号化手段
３４  関連情報付加手段
３６  記録／再生手段
４０  モニター装置
１０１  ネットワーク対応映像記録装置
１０２  外部向けファイルシステム
１０３  記録媒体
１０４  映像入力手段１０８から出力され、記録媒体に未だ記録されていないデータ
１０５  終了処理未完ファイル
１０６  ネットワーク
１０７  記録媒体１０３のファイルシステム上に存在するファイル
１０８  映像入力手段
１０９  映像記録装置１０１の動作状態把握手段
１１０  ネットワークアダプタ
１１１  ネットワークを介したオペレーター
１１２  外部向けファイルシステム作成手段
１１３  終了処理未完のデータから作成された外部向けファイルエントリー
１１４  記録媒体１０３のファイルシステムを基に作成された外部向けファイルエントリー
１１５  未記録データから作成された外部向けファイルエントリー
１１６  送出方法判定手段
１１７  データ記録手段
１１８  バッファメモリ
１１９  ビットレート変換手段
【図１】
2004328642.tif 000004
【図２】
2004328642.tif 000005
【図３】
2004328642.tif 000006
【図４】
2004328642.tif 000007